(57)【要約】【課題】重量が軽く、比強度、比剛性及び撓み性に優れた釣糸ガイドを提供する。【解決手段】本発明に係る釣糸ガイド１は、フレーム３に釣糸が挿通されるガイドリング６が取り付けられる。フレーム３は、強化繊維に合成樹脂を含浸した繊維強化プリプレグを積層した複数の繊維強化樹脂層を有する積層材２０からなり、積層材２０の中央Ｃに対して一方側と他方側に、フレーム３の長手軸Ｘに対して互いに反対方向に強化繊維が傾斜した斜向繊維強化樹脂層（２０ｃ，２０ｆ）を設けたことを特徴とする。【選択図】図６
2011130759.tif 000002
【特許請求の範囲】
【請求項１】
フレームに釣糸が挿通されるガイドリングが取り付けられる釣糸ガイドであって、
前記フレームは、強化繊維に合成樹脂を含浸した繊維強化プリプレグを積層した複数の繊維強化樹脂層を有する積層材からなり、
前記積層材の中央に対して一方側と他方側に、前記フレームの長手軸に対して互いに反対方向に強化繊維が傾斜した斜向繊維強化樹脂層を設けたことを特徴とする釣糸ガイド。
【請求項２】
前記積層材の中央に対する両側の最外層には、織布の繊維強化樹脂層が設けられていることを特徴とする請求項１に記載の釣糸ガイド。
【請求項３】
前記積層材の中央に対して一方側と他方側にそれぞれ設けられ、フレームの長手軸に対して互いに反対方向に強化繊維が傾斜した斜向繊維強化樹脂層は、繊維量が同じであることを特徴とする請求項１又は２に記載の釣糸ガイド。
【請求項４】
前記積層材の中央に芯材層を設けたことを特徴とする請求項１から３のいずれか１項に記載の釣糸ガイド。
【請求項５】
前記積層材は、中央に対する両側の繊維強化樹脂層が、外層に向かって繊維方向が互いに対称方向となるように積層されていることを特徴とする請求項１から４のいずれか１項に記載の釣糸ガイド。
【発明の詳細な説明】
【技術分野】
【０００１】
本発明は、釣竿に装着されて釣糸を案内する釣糸ガイドに関し、詳細には、釣糸が挿通されるガイドリングを保持するフレーム部分に特徴を有する釣糸ガイドに関する。
【背景技術】
【０００２】
従来、上記した釣糸ガイドは、釣竿の外周面に装着されるフレームと、フレームに止着され、実際に釣糸が挿通されるガイドリングとを備えた構成となっている。前記フレームは、例えば、特許文献１に記載されているように、ステンレスやチタン等の金属製の板材料をプレス加工することで一体形成するのが一般的となっており、フレームには、釣糸を挿通させるガイドリングを保持するためのリング保持部と、釣竿の外表面に装着するための固定部が一体形成されている。
【先行技術文献】
【特許文献】
【０００３】
【特許文献１】特開２００６−３４０６６１号
【発明の概要】
【発明が解決しようとする課題】
【０００４】
上記した公知技術では、フレームが金属材料で構成されているため、重量が重く、比強度、比剛性、撓み性等の性能が悪く、釣竿の性能の向上を図る上でネックとなっている。例えば、より軽量化が要求される釣竿では、上記したような釣糸ガイドを軸長方向に沿って多数装着すると、所望の性能が発揮できなくなってしまう。
【０００５】
本発明は、上記した問題に着目してなされたものであり、重量が軽く、比強度、比剛性及び撓み性に優れた釣糸ガイドを提供することを目的とする。
【課題を解決するための手段】
【０００６】
上記した目的を達成するために、本発明は、フレームに釣糸が挿通されるガイドリングが取り付けられる釣糸ガイドであって、前記フレームは、強化繊維に合成樹脂を含浸した繊維強化プリプレグを積層した複数の繊維強化樹脂層を有する積層材からなり、前記積層材の中央に対して一方側と他方側に、前記フレームの長手軸に対して互いに反対方向に強化繊維が傾斜した斜向繊維強化樹脂層を設けたことを特徴とする。
【０００７】
上記した構成の釣糸ガイドは、そのフレーム部分が、繊維強化プリプレグを積層した複数の繊維強化樹脂層を有する積層材から構成されるため、軽量化が図れるようになる。また、積層材の中央に対して一方側と他方側には、フレームの長手軸に対して互いに反対方向に強化繊維が傾斜した斜向繊維強化樹脂層を設けていることから、キャスティング時や魚が掛かったときに、釣糸ガイドのフレームに負荷が掛かり、前後に曲がるような応力が作用したり、捩れが生じるような応力が作用しても、撓り方向の片寄りが抑制され、比強度、比剛性及び撓み性が向上する。
【発明の効果】
【０００８】
本発明によれば、重量が軽く、比強度、比剛性及び撓み性に優れた釣糸ガイドが得られる。
【図面の簡単な説明】
【０００９】
【図１】本発明に係る釣糸ガイドの一構成例を示す縦断面図。
【図２】図１を矢印Ａ方向から見た図。
【図３】釣糸ガイドを釣竿（竿管）に装着した状態を示す図。
【図４】釣糸ガイドを構成するフレームを成形する金型の構成例を示す図。
【図５】金型で成形された板状体からフレームを切り出す状態を示す図。
【図６】フレーム部分の第１の実施形態を示す図であり、フレームを構成するプリプレグの積層構造を拡大して示す図。
【図７】フレーム部分の最外層を模式的に示す図。
【図８】フレーム部分の第２の実施形態を示す図であり、フレームを構成するプリプレグの積層構造を拡大して示す図。
【図９】フレーム部分の第３の実施形態を示す図であり、フレームを構成するプリプレグの積層構造を拡大して示す図。
【図１０】フレーム部分の第４の実施形態を示す図であり、フレームを構成するプリプレグの積層構造を拡大して示す図。
【図１１】フレームの固定部領域を拡大した断面図。
【図１２】釣糸ガイドの別の構成を示す図。
【発明を実施するための形態】
【００１０】
以下、図面を参照しながら、本発明に係る釣糸ガイドの実施形態について説明する。
【００１１】
最初に、図１から図３を参照して、本発明に係る釣糸ガイドの一構成例について説明する。これらの図において、図１は、釣糸ガイドの縦断面図であり、図２は、図１を矢印Ａ方向から見た図、そして、図３は、釣糸ガイドを釣竿（竿管）に装着した状態を示す図である。なお、図１において、矢印Ａ方向は、釣糸ガイドが釣竿に装着された際、釣竿の軸長方向と一致しており、図３は、元竿側から穂先竿側を見た図となっている。また、釣糸ガイドは、リング保持部が穂先側で、固定部が元竿側となるように取り付けられており、以下において、前側とは穂先側を意味し、後側は基端側（元竿側）を意味する。
【００１２】
釣糸ガイド１は、強化繊維に合成樹脂を含浸した繊維強化プリプレグ（以下、プリプレグと称する）を積層した複数の繊維強化樹脂層を有する積層材によって形成されたフレーム３を備えている（プリプレグの構成、積層態様、及びフレームの詳細な製造方法については後述する）。
【００１３】
前記フレーム３は、釣竿（竿管）４０の外表面に装着される固定部５と、釣糸が挿通されるガイドリング６が取り付けられるリング保持部７と、リング保持部７と固定部５との間を連結する支脚部８とを具備しており、前記リング保持部７の軸線方向（図１の矢印Ａ方向；前後方向）における厚みよりも左右方向の幅が大きい板状に形成されている。
【００１４】
前記固定部５は、フレームの下端において、釣竿の表面に固定される部位（足部とも称される）であり、本実施形態では軸長方向に延び、その裏側の当接面５ａが釣竿の表面に載置した状態で、糸止め、接着等によって固定される。なお、固定部５は１本足や２本足など、様々な形状をとることができる。
【００１５】
前記リング保持部７は、釣竿の表面から離間した状態で釣糸を案内させるべく、ガイドリング６を止着させる部位である。リング保持部７には、ガイドリング６を嵌入、固定させるための開口７ａが形成されており、全体として略円形の外形状を備えている。なお、開口７ａに嵌入されるガイドリング６は、リング状に構成され、その内周面である釣糸案内面６ａ部分での摺動抵抗が小さい部材、例えば、チタン、アルミ、ＳＵＳ、セラミックス等によって形成されている。このガイドリング６は、フレーム３が前記プリプレグによって一体形成された後、リング保持部７の開口７ａに対して嵌入、固定される。
【００１６】
また、前記支脚部８は、ガイドリング６を釣竿の表面から離間させるように、固定部５とリング保持部７とを連結する部位である。この支脚部８は、後述するように、釣糸ガイドを正面（釣竿の軸長方向）から見た際の鉛直方向（フレームの長手軸Ｘと定義する）に沿うように形成しても良いし、図に示すように、鉛直方向に対して傾斜するように形成しても良い。
【００１７】
前記フレーム３には、少なくとも１つ以上の屈曲部が形成されている。本実施形態では、固定部５と支脚部８との間の境界部分に第１屈曲部１０ａが形成されており、さらに、支脚部８のリング保持部７側に、第１屈曲部よりも緩やかに屈曲した第２屈曲部１０ｂが形成されている。この場合、前記境界部分は、実際に釣竿の外表面に対して固定状態となる固定部５の端部から、リング保持部７に向けて立ち上がる領域が該当する。
【００１８】
フレーム３に上記したような屈曲部を形成する場合、特に、支脚部８に第２屈曲部１０ｂを形成しておくことで、フレーム全体として、屈曲させることによる曲げ角度を段階的に設定することが可能となり、応力集中を分散させて強度を向上することが可能となる。また、上記のようにフレーム３に複数の屈曲部１０ａ，１０ｂを形成するのであれば、固定部５と支脚部８との間の境界部分、又はその近傍に形成される屈曲部（図において、第１屈曲部１０ａが対応する）よりも、支脚部８に形成される屈曲部（図において、第２屈曲部１０ｂが対応する）の屈曲角度を小さく設定することが好ましい。具体的には、固定部５と支脚部８との間の境界部分、又はその近傍に形成される屈曲部の屈曲角度θ１は、３０〜９０度の範囲とし、支脚部８に形成される屈曲部の屈曲角度θ２は、それよりも小さい角度（θ１＞θ２）で０〜４５度の範囲とし、両角度を合わせたときに３０度以上、１００度以下にすることが好ましい。
【００１９】
なお、図１に示すように、屈曲角度は、屈曲した部分の前後において、接線同士が交差する角度によって定義される。上記したように、フレームに２つの屈曲部１０ａ，１０ｂを形成した場合、その角度の関係は、上記のように設定されることが好ましい。また、固定部５とリング保持部７との間の屈曲角度（固定部５の下面接線とリング保持部７との交差する角度）θ３については、３０〜１００度の範囲で設定されることが好ましい。さらに、上記した支脚部８については、２つの屈曲部１０ａ，１０ｂ間は直線状に形成されていたが、２つの屈曲部１０ａ，１０ｂ間を、所定の曲面を有する湾曲状に形成しても良いし、支脚部全体を湾曲面で構成しても良い。
【００２０】
このような角度関係となるように屈曲部を形成しておくことで、特定屈曲部への応力集中を防止でき、強度の安定化が図れる。
【００２１】
また、上記したようなフレームに形成される屈曲部１０ａ，１０ｂは、応力集中して破損等し易い領域となっているが、後述するような製造方法、及びプリプレグの構成を用いることで、比強度、及び比剛性の向上が図られている。
【００２２】
前記フレーム３は、後述するように、予め上記したような構成の屈曲部を形成した状態のプリプレグ（加熱成形後は板状体となっている）から、プレス加工等によって形成されるが、この際、所定の外形を有するように形成される。本実施形態では、図２に示すように、固定部５の端部から第１屈曲部１０ａを介して立ち上がる支脚部８は、上方に移行するに従って次第に幅広となっており、ガイドリング６が取着される開口７ａが形成された略円形のリング保持部７に一体的に連結される。この場合、図に示すように、支脚部８には、軽量化を図るために、開口（肉抜き）８ａを形成しておいても良い。
【００２３】
次に、上記したような形態のフレーム３を形成する方法について、図４から図６を参照しながら説明する。なお、最初に、図４及び図５を参照して全体的な製造工程について説明し、次に、フレームを構成する複数のプリプレグの積層状態、及び積層されるプリプレグの強化繊維の配列状態について説明する。
【００２４】
上記したように、フレーム３は、強化繊維に合成樹脂を含浸したプリプレグによって形成される。この場合、プリプレグは、例えば、炭素繊維やガラス繊維などの強化繊維が所定の方向に引き揃えられた状態、或いは編成されたシート状に構成されており、熱硬化性樹脂（例えば、エポキシ樹脂）や熱可塑性樹脂（例えば、ナイロン）をマトリックス樹脂として含浸した構成となっている。
【００２５】
最初、上記したようなプリプレグを所定形状に裁断し、これを複数層となるように重ね合わせる。重ね合わせるプリプレグの枚数（層数）や、個々のプリプレグの構成については特に限定されることはないが、上記したように、フレーム３に屈曲部１０ａ，１０ｂを形成すること、使用時においてフレーム３には負荷が加わること、装着される釣竿の特性や装着部分等を考慮し、プリプレグの種類や重ねる条件が任意に調整される。
【００２６】
このように積層されるプリプレグは、図４に示すような金型５０にセットされる。本実施形態の金型５０は、上下に型割りされる上型５１と下型５２によって構成されており、積層されたプリプレグ（積層材２０）は、下型５２の所定位置にセットされる。上型５１と下型５２との間には、積層材２０がセットされる位置に応じて空洞部５０ａが形成されており、その表面領域には、離型剤がコーティングされている。
【００２７】
上記金型５０を構成する上型５１は凹状、下型５２は凸状に構成されており、両者を押圧した際にフレーム３が形成されるように、両者の間に前記空洞部（この空洞部については、フレーム３の肉厚に対応している）５０ａが形成されている。そして、下型５２には、前記積層材２０を載置した際、上記した屈曲部１０ａ，１０ｂに対応する位置に、屈曲形成凸部５２ａ，５２ｂが形成され、上型５１には、屈曲形成凸部５２ａ，５２ｂに対応して屈曲形成凹部５１ａ，５１ｂが形成されている。
【００２８】
なお、前記積層材２０は、一度に全体を重ね合わせた状態で下型にセットしても良いし、１枚づつセットする等、複数回に分けて積層しても良い。このように複数回に分けることにより、強化繊維の動きを少なくして、精度良く下型５２の所定位置にセットすることもできる。本実施形態では、上記のように、金型５０を上下割りにしているため、積層材２０は下型５２に載置して、金型の形状に合わせて所定形状に保持する。もちろん、金型については、一例を示したに過ぎず、型割りの方向については、左右方向としたり、傾斜方向にする等、任意の形態にすることが可能である。
【００２９】
そして、積層材２０を下型５２にセットした後、積層材２０を加圧し固定する。この加圧、固定については、上型５１によって締め付けしても良いし、手や押圧具で押し付けても良い。この段階で、前記屈曲部を含め、成形後のフレーム形状に相当する形が保持され、これにより、成形後の内部残留応力の発生を防止でき、強度の向上、及び安定化が図れるようになる（この段階では、各プリプレグは未硬化状態（仮キュア後を含む）であり、屈曲部は加熱硬化前に形成されることとなる）。
【００３０】
その後、加熱工程を施し、マトリックス樹脂を硬化して成形した後、成形品（屈曲部を有する板状体３０となっている）を金型５０から取り出す。
【００３１】
なお、上記した屈曲部を金型５０で押えて加熱硬化するときに、その屈曲部は、その前後の領域よりも相対的に強く加圧することが好ましい。このように、屈曲部の領域を強く加圧することで、成形されたフレームの屈曲部（１０ａ，１０ｂ）のボイドを防止することができ、強度の向上、及び安定化が図れるようになる。また、これに伴い、成形されたフレーム３の屈曲部１０ａ，１０ｂは、その前後の領域（固定部や支脚部）よりも繊維比率を高くすることができるので、破損等しやすい屈曲部を強化することが可能となる。
【００３２】
次に、板状体３０から所定の形状となるようにフレームを切り出す。上記したように、プリプレグは、加熱硬化処理後に屈曲部が形成された板状体となっているため、プレス加工による切り出し、液体（ウォータージェット等）による切り出し、或いは刃具（エンドミル等）による切り出し等、任意の方法を採用することで、図５に示すように、１枚の板状体３０から複数のフレーム３を切り出すことが可能となり、軽量で高強度の釣糸ガイドを効率良く製造することが可能となる。
【００３３】
なお、この加工時において、フレーム３の基本的な外形状、すなわち、開口７ａを有するリング保持部７、開口８ａを有する支脚部８等を同時に形成することが好ましいが、これらを別々の工程で形成しても良い。また、前記板状体３０に関しては、一枚の単純な平面形状に限らず、積層厚さを位置によって変化させたり、板状部分が複数方向に延びる形状（Ｔ字形状や逆Ｙ字形状等）としたり、曲面形状を含んでいたり、更には、複数の板状の部分が組み合わされていても良い。
【００３４】
次に、必要に応じて細部加工を施す。この細部加工は、例えば、固定部５の形状を釣竿に載置し易いように曲面状に形成したり、糸巻き・糸止めし易いように、固定部の端部を研磨等することが該当する。
【００３５】
次に、フレームの表面処理を施す。例えば、バレル加工を施すことで、表面のバリを除去すると共に、表面の光沢が得られる程度に仕上げ研磨を施す。この研磨の程度については、釣糸ガイドのサイズや形状、材質特性などによって研磨剤や研磨時間などを任意に調整することが可能である。このようなバレル加工を施すことにより、強化繊維を切断することなく、フレームを研磨することが可能となり、強度の安定化が図れると共に、外観の優れた釣糸ガイドとすることが可能となる。
【００３６】
なお、このような研磨工程を施すに際しては、フレームの表面に強化繊維が一部露出しマトリックス樹脂が一部残るように研磨することが好ましい。こうすることで、研磨表面の光沢をより一層向上することが可能となる。
【００３７】
次に、必要に応じて、フレームの全体又は一部分に被膜を形成する。例えば、外観向上やフレーム本体の保護のために塗装を行なうことや、金属やセラミックスを蒸着等することも可能である。
【００３８】
そして、上記したように形成されたフレームの開口７ａの部分にガイドリング６を取り付ける。ガイドリングの取り付け方法は、圧入や接着、カーリング、その他、任意の固定方法を採用することが可能である。
【００３９】
上記したような製造方法によって形成される釣糸ガイドによれば、金属製のものと比較して、重量が軽くなり、更には、比強度、比剛性、及び撓み性に優れた構成とすることが可能となる。このため、そのような釣糸ガイドを多数個装着しても釣竿全体が重量化することはなく、釣竿の性能が向上する。特に、穂先竿のような部分では、より軽量化が図れることから、繊細な当たりを感知し易くなり、より釣竿の性能の向上を図ることが可能となる。
【００４０】
次に、上記したようなプリプレグによってフレーム３を形成するに際して、そのプリプレグの好ましい配置態様等について、図６を参照しながら説明する。図６の釣糸ガイドは、リング保持部７が前側（穂先側）、固定部５が後側（元竿側）になるような向きで釣竿４０に取り付けられている。なお、図６は、フレーム３を前側（穂先側）から見た図である。
【００４１】
上記したように、フレーム３は、その前後方向に強化繊維に合成樹脂を含浸したプリプレグを積層した複数の繊維強化樹脂層を有する積層材２０によって構成されており、本実施形態では、全体で８層のプリプレグが用いられている。ここでは、便宜上、積層材２０を、前方側（穂先側）から後方側（元竿側）に移行するに連れて、順に、第１層２０ａ、第２層２０ｂ、第３層２０ｃ、第４層２０ｄ、第５層２０ｅ、第６層２０ｆ、第７層２０ｇ、第８層２０ｈとして定義する（このような積層構造では、積層側の中央にあたる第４層２０ｄと第５層２０ｅの間が積層材２０の中央Ｃとなる）。また、図６において、釣糸ガイドを正面（釣竿の軸長方向）から見た際の鉛直方向をフレームの長手軸Ｘとして定義し、各層における繊維方向については、斜線又は格子線で示してある。
【００４２】
積層材２０の最外層となる前後面（第１層２０ａ及び第８層２０ｈ）は、織布の繊維強化樹脂層によって構成されている。この場合、織布を構成する強化繊維は、図６に示されているように、前記長手軸Ｘに沿った方向と、これに直交する方向（水平方向）となるように設定されていることが望ましい。
【００４３】
前記第１層２０ａと第８層２０ｈの内層側（第２層２０ｂ及び第７層２０ｇ）は、長手軸Ｘに沿った方向（正確に一致しなくても良い）の一方向に引き揃えられた強化繊維からなる軸方向繊維強化樹脂層によって構成されている。
【００４４】
また、その内層側（第３層２０ｃ及び第６層２０ｆ）は、前方から見たときに強化繊維が長手軸Ｘに対して右方向（＋で定義する）に斜向した斜向繊維強化樹脂層によって構成されている。この場合、長手軸Ｘに対し右方向に傾斜していれば良いが、長手軸Ｘに対する傾斜角度は、１０°〜６０°の範囲が好ましく、また、両層の強化繊維の斜向角度は、正確に一致しなくても良い。
【００４５】
さらに、その内層側（第４層２０ｄ及び第５層２０ｅ）は、前方から見たときに強化繊維が長手軸Ｘに対して左方向（−で定義する）に斜向した斜向繊維強化樹脂層によって構成されている。この場合、長手軸Ｘに対し左方向に傾斜していれば良いが、長手軸Ｘに対する傾斜角度は、−１０°〜−６０°の範囲が好ましく、また、両層の強化繊維の斜向角度は、正確に一致しなくても良い。
【００４６】
したがって、積層材２０における中央Ｃの前後の層が、共に強化繊維が左方向に斜向した斜向繊維強化樹脂層（第４層２０ｄ及び第５層２０ｅ）となっており、その外側は、共に強化繊維が右方向に斜向した斜向繊維強化樹脂層（第３層２０ｃ及び第６層２０ｆ）となっている。すなわち、積層材２０の中央Ｃに対して一方側と他方側に、フレームの長手軸Ｘに対して互いに反対方向に強化繊維が傾斜した斜向繊維強化樹脂層が配設された状態となっている（第４層２０ｄと第６層２０ｆ、及び第３層２０ｃと第５層２０ｅ）。
【００４７】
また、本実施形態の態様では、積層材２０の中央Ｃに対して一方側と他方側に、フレームの長手軸Ｘに対して互いに同じ方向に強化繊維が傾斜した斜向繊維強化樹脂層が配設された状態となっている（第４層２０ｄと第５層２０ｅ、及び第３層２０ｃと第６層２０ｆ）。
【００４８】
以上のような積層材２０の構成によれば、フレーム自体の軽量化が図れると共に、比強度、比剛性及び撓み性に優れた釣糸ガイドを構築することが可能となる。特に、積層材２０の中央Ｃに対して一方側と他方側に、フレームの長手軸Ｘに対して互いに反対方向に強化繊維が傾斜した斜向繊維強化樹脂層を配設したことで、キャスティングや魚が掛かったとき等、釣糸ガイドのフレーム３に負荷が掛かって前後に曲がったり、捩じれが生じても撓り方向が片寄らないため、破損等を効果的に抑制することが可能となる。また、フレーム３の撓りによってガイドリングへの釣糸の当たり場所が集中し難いことから、釣糸の磨耗を防止することが可能となる。
【００４９】
また、上記した構成では、積層材２０の中央Ｃに対してその前後の一方側と他方側に、それぞれ中央Ｃから積層順で離れる方向にフレームの長手軸Ｘに対して互いに同じ方向に強化繊維が傾斜した斜向繊維強化樹脂層を同じ順序に配設しているため、釣糸ガイド１のフレームの前後で、曲げ剛性とねじれ剛性が同じにすることができ、負荷に対してフレームが一定の方向に片寄って歪むことを防止することとなる。
【００５０】
また、上記した構成の積層材２０は、長手軸Ｘに沿った方向の一方向に引き揃えられた強化繊維からなる軸方向繊維強化樹脂層（第２層２０ｂ及び第７層２０ｇ）を備えているため、これにより長手軸方向の曲げ剛性が高められるようになる。
【００５１】
さらに、上記した構成の積層材２０は、最外層となる前後面（第１層２０ａ及び第８層２０ｈ）に織布の繊維強化樹脂層を備えているため、釣糸が接触しても強化繊維の裂けや剥離などが生じ難く、強度の向上、及び安定化が図れると共に、内側の繊維強化樹脂層を効果的に保護することが可能となる。
【００５２】
なお、このような織布の繊維強化樹脂層２０ａ，２０ｈについては、図７に示すように、強化繊維を編成した主たる繊維の網目の幅ｗ（通常、強化繊維は、多数本が束ねられた状態で繊維束を構成しており、この繊維束が編成されて織布状に構成されるため、網目は繊維束の幅で特定される）が、フレーム３の支脚部８の幅Ｗ（ここでの幅は最小となる部位の幅が該当する）よりも小さくなるものを用いることが好ましい。
【００５３】
このような織布の繊維強化樹脂層２０ａ，２０ｈを配設することで、より確実に強化繊維が剥離、破損することを防止でき、強度の向上、及び安定化が図れるようになる。また、上述した屈曲部１０ａ，１０ｂについても相対的に強化することができ、軽量で強度バランスに優れた釣糸ガイドとすることが可能となる。もちろん、上記した織布の繊維強化樹脂層２０ａ，２０ｈの網目の幅については、固定部５やリング保持部７の領域においても、同様にそれらの部分での最小幅よりも小さくすることが好ましい。
【００５４】
なお、図７に示した配置態様では、織布に関し、その編目の方向を、フレームの長手軸Ｘに沿わせているが、これを長手軸Ｘに対して所定角度、傾斜させることが好ましい。このように傾斜させることで、強化繊維を、上記したように構成される支脚部８の延出方向に沿った方向、及びそれに直交する方向に指向させることができ、強化繊維の破断や剥離を効果的に防止することができる。
【００５５】
また、上記した構成では、中央Ｃに対してその前後の一方側と他方側にそれぞれ設けられている、互いに反対方向に強化繊維が傾斜した斜向繊維強化樹脂層（第４層２０ｄと第６層２０ｆ、及び第３層２０ｃと第５層２０ｅ）については、互いに繊維量が同じプリプレグを用いることが好ましい。
【００５６】
このようなプリプレグを用いることで、フレームの前後の剛性を容易に同じにでき、前後で剛性バランスが取れたフレームとなる。なお、左右一対の支脚部８は、同じプリプレグを同じ積層順で重ねて形成した同じ積層材２０で形成され、剛性などのバランスを取っている。
【００５７】
図８は、フレーム部分の第２の実施形態を示す図であり、フレームを構成するプリプレグの積層構造を拡大して示す図である。
【００５８】
本実施形態の積層材２２は、全体で４層のプリプレグが用いられている。上記した実施形態と同様、積層材２２を、前方側（穂先側）から後方側（元竿側）に移行するに連れて、順に、第１層２２ａ、第２層２２ｂ、第３層２２ｃ、第４層２２ｄとして定義する（このような積層構造では、第２層２２ｂと第３層２２ｃの間が積層順における積層材２２の中央Ｃとなる）。
【００５９】
積層材２２の最外層となる前後面（第１層２２ａ及び第４層２２ｄ）は、織布の繊維強化樹脂層によって構成されている。
【００６０】
また、前記第１層２２ａの内層側（第２層２２ｂ）は、強化繊維が右方向に斜向した斜向繊維強化樹脂層となっており、前記第４層２２ｄの内層側（第３層２２ｃ）は、強化繊維が左方向に斜向した斜向繊維強化樹脂層となっている。すなわち、積層材２２の中央Ｃに対して一方側と他方側に、フレームの長手軸Ｘに対して互いに反対方向に強化繊維が傾斜した斜向繊維強化樹脂層が配設された状態となっている。
【００６１】
このような構成のフレームによれば、上記した実施形態と同様、釣糸ガイドのフレーム３に負荷が掛かって前後に曲がったり、捩じれが生じても撓り方向が片寄らないため、破損等を効果的に抑制することが可能となる。また、フレーム３の撓りによってガイドリングへの釣糸の当たり場所が集中し難いことから、釣糸の磨耗を防止することが可能となる。さらに、本実施形態では、層数を削減したことにより、軽量化が図れることから、釣竿の穂先側の釣糸ガイドに適した構成となる。
【００６２】
図９は、フレーム部分の第３の実施形態を示す図であり、フレームを構成するプリプレグの積層構造を拡大して示す図である。
【００６３】
本実施形態の積層材２４は、全体で９層のプリプレグが用いられている。上記した実施形態と同様、積層材２４を、前方側（穂先側）から後方側（元竿側）に移行するに連れて、順に、第１層２４ａ、第２層２４ｂ、第３層２４ｃ、第４層２４ｄ、第５層２４ｅ、第６層２４ｆ、第７層２４ｇ、第８層２４ｈ、第９層２４ｉとして定義する。このような奇数の積層数では、第５層２４ｅが積層順における中央Ｃとなる芯材層を構成する。
【００６４】
積層材２４の最外層となる前後面（第１層２４ａ及び第９層２４ｉ）は、織布の繊維強化樹脂層によって構成され、その内層側（第２層２４ｂ及び第８層２４ｈ）は、長手軸Ｘに沿った方向の一方向に引き揃えられた強化繊維からなる軸方向繊維強化樹脂層によって構成されている。
【００６５】
また、その内層側（第３層２４ｃ及び第７層２４ｇ）は、それぞれ長手軸Ｘに対して右方向に斜向した斜向繊維強化樹脂層、および左方向に斜向した斜向繊維強化樹脂層によって構成されており、その内層側（第４層２４ｄ及び第６層２４ｆ）は、それぞれ長手軸Ｘに対して左方向に斜向した斜向繊維強化樹脂層、および右方向に斜向した斜向繊維強化樹脂層によって構成されている。
【００６６】
また、中央Ｃとなる芯材層２４ｅは、長手軸Ｘに沿った方向の一方向に引き揃えられた強化繊維からなる軸方向繊維強化樹脂層によって構成されている。
【００６７】
したがって、積層材２４における中央Ｃ（芯材層２４ｅ）の前後の層が、フレームの長手軸Ｘに対して互いに反対方向に強化繊維が傾斜した斜向繊維強化樹脂層が配設された状態となっており（第４層２４ｄ及び第６層２４ｆ）、その外側の層も互いに反対方向に強化繊維が傾斜した斜向繊維強化樹脂層が配設された状態となっている（第３層２４ｃ及び第７層２４ｇ）。
【００６８】
更に、積層材２４は、中央Ｃ（芯材層２４ｅ）に対する両側の繊維強化樹脂層が、外層に向かって繊維方向が互いに対称方向となるように積層された状態となっている。
【００６９】
このような構成のフレームによれば、上記した実施形態と同様、釣糸ガイドのフレーム３に負荷が掛かって前後に曲がったり、捩じれが生じても撓り方向が片寄らないため、破損等を効果的に抑制することが可能となる。また、フレーム３の撓りによってガイドリングへの釣糸の当たり場所が集中し難いことから、釣糸の磨耗を防止することが可能となる。さらに、本実施形態では、中央に軸方向繊維強化樹脂層となる芯材層２４ｅを配設したことで、フレーム３に対し、軸長方向に沿って釣糸の張力等によって撓み力が作用しても、その方向の比剛性を、軽量化を図りながら効率良く高めておくことが可能となる。
【００７０】
また、本実施形態では、中央Ｃ（芯材層２４ｅ）に対する両側の繊維強化樹脂層が、外層に向かって繊維方向が互いに対称方向となるように積層された状態となっているため、フレームを捩る力が作用した際、左右いずれの方向の捩れに対しても比強度の向上を図ることが可能となる。
【００７１】
図１０は、フレーム部分の第４の実施形態を示す図であり、フレームを構成するプリプレグの積層構造を拡大して示す図である。
【００７２】
本実施形態では、固定部５とリング保持部７とを連結する支脚部８Ａを、上記した実施形態のような中央の窓部（開口８ａ）を形成することなく、１枚のプレート状に形成している。このように、支脚部８Ａの形状については、例えば、釣竿の種類、釣糸ガイドが装着される竿杆などに応じて適宜変形することが可能であり、図に示したようなプレート状に形成された支脚部についても、中間部分を折曲げたり、面取りを施すなど、適宜変形することが可能である。そして、本実施形態の積層材２６は、全体で１０層のプリプレグが用いられており、上記した実施形態と同様、積層材２６を、前方側（穂先側）から後方側（元竿側）に移行するに連れて、順に、第１層２６ａ、第２層２６ｂ、第３層２６ｃ、第４層２６ｄ、第５層２６ｅ、第６層２６ｆ、第７層２６ｇ、第８層２６ｈ、第９層２６ｉ、第１０層２６ｊとして定義する（このような偶数の積層数では、第５層２６ｅと第６層２６ｆの間が積層材２６の中央Ｃとなる）。
【００７３】
積層材２６の最外層となる前後面（第１層２６ａ及び第１０層２６ｊ）は、織布の繊維強化樹脂層によって構成され、その内層側（第２層２６ｂ及び第９層２６ｉ）は、長手軸Ｘに沿った方向の一方向に引き揃えられた強化繊維からなる軸方向繊維強化樹脂層によって構成されている。
【００７４】
また、その内層側（第３層２６ｃ及び第８層２６ｈ）は、ともに長手軸Ｘに対して右方向に斜向した斜向繊維強化樹脂層によって構成されており、その内層側（第４層２６ｄ及び第７層２６ｇ）は、それぞれ長手軸Ｘに対して右方向に斜向した斜向繊維強化樹脂層、および左方向に斜向した斜向繊維強化樹脂層によって構成されている。
【００７５】
また、積層材２６の中央Ｃに対する両側の層（第５層２６ｅ及び第６層２６ｆ）は、長手軸Ｘに対して互いに反対方向（第５層２６ｅは左方向、第６層２６ｆは右方向）に強化繊維が傾斜した斜向繊維強化樹脂層が配設された状態となっている。
【００７６】
したがって、積層材２６における中央Ｃの前後の層が、フレームの長手軸Ｘに対して互いに反対方向に強化繊維が傾斜した斜向繊維強化樹脂層が配設された状態となっており（第５層２６ｅ及び第６層２６ｆ）、その外側の層も互いに反対方向に強化繊維が傾斜した斜向繊維強化樹脂層が配設された状態となっている（第４層２６ｄ及び第７層２６ｇ）。
【００７７】
このような構成のフレームにおいても、上記した実施形態と同様、釣糸ガイドのフレーム３に負荷が掛かって前後に曲がったり、捩じれが生じても撓り方向が片寄らないため、破損等を効果的に抑制することが可能となる。また、フレーム３の撓りによってガイドリングへの釣糸の当たり場所が集中し難いことから、釣糸の磨耗を防止することが可能となる。特に、本実施形態においても、前記第３の実施形態と同様、中央Ｃ（第５層２６ｅ及び第６層２６ｆの間）に対して、両側の繊維強化樹脂層が、外層に向かって繊維方向が互いに対称方向となるように積層された状態となっているため、フレームを捩る力が作用した際、左右いずれの方向の捩れに対しても比強度の向上を図ることが可能となる。
【００７８】
上述した図６、図８、図９及び図１０に示した構成においては、フレーム３を構成する積層材２０，２２，２４，２６は、固定部５からリング保持部７へと向かう軸方向繊維樹脂層の強化繊維の量よりも、斜向繊維樹脂層の強化繊維の量を多く配設して成ることが好ましい。これによれば、釣糸ガイド１が大撓みして図１の矢印方向の大きな負荷によってフレーム３が撓んでも破損し難い釣糸ガイドにすることが可能となる。
【００７９】
また、上述した構成において、屈曲部１０ａ，１０ｂについては、その前後の領域よりも繊維比率を高くしておくことが好ましい。例えば、上記した製造工程で説明したように、加熱成形時に屈曲部の領域の押圧力を高くすることで、樹脂が流出して屈曲部の繊維比率を高くすることが可能であり、このように構成することで、負荷が作用してフレームが撓んでも破損し難い釣糸ガイドにすることが可能となる。
【００８０】
なお、屈曲部の繊維比率を高くすることに代えて、図１１に示すように、屈曲部における肉厚Ｔを、固定部５における肉厚Ｔ１や支脚部８（支脚部８Ａ）の肉厚Ｔ２よりも厚く形成しても良い。このように、屈曲部を、他の領域よりも厚肉化しておくことで、屈曲部での破損を効果的に防止することが可能となる。もちろん、肉厚を厚くすると共に、上述したように繊維比率を高くすることが好ましい。
【００８１】
また、屈曲部については、厚さ方向の中立軸部位の合成樹脂含浸量よりも、屈曲部の内側の外層部位（図１１において、屈曲部１０ａの符号Ｐで示す側）の合成樹脂含浸量を多くしておくことが好ましい。
【００８２】
上記したように、フレーム部分には、釣糸による張力が作用した際、図１１の矢印方向に大きな負荷が作用することが多いため、屈曲部の内側の外層部位（Ｐで示す側）から破損等が生じ易い。このため、そのような領域側の樹脂含浸量を多くしておくことで、負荷によってフレームが撓んでも破損し難い釣糸ガイドにすることが可能となる。
【００８３】
以上、本発明の実施形態について説明したが、本発明は、上記した構成に限定されることはなく、種々変形することが可能である。  
本発明は、釣糸ガイドを構成するフレーム部分を、繊維強化プリプレグで構成すると共に、比強度、比剛性等を高め、特に、屈曲部の領域で破損等が生じないように、上述したようなプリプレグの配置態様を用いたことに特徴がある。上記したフレームを構成するプリプレグについては、強化繊維の種類、弾性率、指向方向（傾斜角度）、樹脂含浸量、肉厚などの構成、及び積層状態等については、実施形態に限定されることはなく、種々変形することが可能である。
【００８４】
また、釣糸ガイドは、釣竿に対して糸止め等によって固定される構成を説明したが、例えば、釣竿に対して摺動可能に外嵌される遊動ガイドとして構成されていても良い。このような遊動ガイドであれば、上記したフレーム３に屈曲部を形成しない構成であっても良い。すなわち、図１２に示すように、フレーム３Ａは平板状に構成されており、一端側に、固定部５Ａとして、開口５ｄが形成され（開口５ｄが固定部５Ａに設けられている）、他端側に、リング保持部７Ａとして、ガイドリングが固定できる開口７ｃが形成されている。また、固定部５Ａとリング保持部７Ａとを連結する支脚部８Ｂには、必要に応じて肉抜き８ｃが形成される。そして、開口５ｄには摺動固定リング５ｃが装着され、摺動固定リング５ｃが装着された開口５ｄに図示しない筒状体を固定することにより、この筒状体の内側面に形成される凹凸条の部分と釣竿の竿杆とが係合される。
このように、釣竿の装着位置に応じて、フレームには屈曲部を形成しない構成であっても良く、このような釣糸ガイドを構成するフレームに用いられるプリプレグについては、織布層の単層構造にしても良い。もちろん、上述したような積層構造としても良く、別途、屈曲部を形成しても良い。或いは、摺動固定リング５ｃが装着される部分（符号５Ｄで示す領域）については、リング保持部７Ａよりも厚く形成しているが、全体として同じ肉厚にしても良く、厚さや形状については任意に設定することが可能である。
【符号の説明】
【００８５】
１  釣糸ガイド
３  フレーム
５  固定部
６  ガイドリング
７，７Ａ  リング保持部
８，８Ａ，８Ｂ  支脚部
１０ａ，１０ｂ  屈曲部
２０，２２，２４，２６  積層材
【図１】
2011130759.tif 000003
【図２】
2011130759.tif 000004
【図３】
2011130759.tif 000005
【図４】
2011130759.tif 000006
【図５】
2011130759.tif 000007
【図６】
2011130759.tif 000008
【図７】
2011130759.tif 000009
【図８】
2011130759.tif 000010
【図９】
2011130759.tif 000011
【図１０】
2011130759.tif 000012
【図１１】
2011130759.tif 000013
【図１２】
2011130759.tif 000014